【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
カメラボディに着脱可能に取り付けられるカメラアクセサリであって、
第１伝送路を介して前記カメラボディとの間でデータ通信を行う第１通信部と、
前記第１伝送路とは異なる第２伝送路を介して前記カメラボディとの間でデータ通信を行う第２通信部とを備え、
前記第１伝送路は、前記カメラボディに対して前記第１伝送路を介したデータ通信の開始可否を表す信号が出力される第１端子と、前記カメラボディとの間で第１クロック信号を通信する第２端子と、前記第１クロック信号に同期させて前記カメラボディからデータ信号が入力される第３端子と、前記第１クロック信号に同期させて前記カメラボディに対してデータ信号が出力される第４端子と、を有し、
前記第２伝送路は、前記カメラボディとの間で第２クロック信号を通信する第７端子と、前記第２クロック信号に同期させて前記カメラボディに対してデータ信号が出力される第８端子と、を有するカメラアクセサリ。
【請求項２】
請求項１に記載のカメラアクセサリにおいて、
前記第２通信部は、前記第２伝送路を介したデータ通信を所定間隔毎に繰り返し行うカメラアクセサリ。
【請求項３】
請求項１または２に記載のカメラアクセサリにおいて、
前記第１通信部は、前記第２通信部による前記第２伝送路を介したデータ通信と並行して、前記第１伝送路を介したデータ通信を行うことが可能であるカメラアクセサリ。
【請求項４】
請求項１から３のいずれか一項に記載のカメラアクセサリにおいて、
前記第１伝送路は、前記カメラボディに対するデータ信号の出力と並行して前記カメラボディからのデータ信号の入力が可能な全二重の伝送路であるカメラアクセサリ。
【請求項５】
請求項４に記載のカメラアクセサリにおいて、
前記データ信号としてフォーカスレンズの位置に関するレンズデータ信号を前記第８端子から出力するカメラアクセサリ。
【請求項６】
請求項１から５のいずれか一項に記載のカメラアクセサリにおいて、
前記第１伝送路に用いられる複数の端子は、前記第１端子と、前記第２端子と、前記第３端子と、前記第４端子と、からなるカメラアクセサリ。
【請求項７】
請求項１から６のいずれか一項に記載のカメラアクセサリにおいて、
前記データ信号として移動部材の位置に関する位置データ信号を前記第８端子から出力するカメラアクセサリ。
【請求項８】
電子デバイスに着脱可能に取り付けられる交換可能デバイスであって、
第１伝送路を介して前記電子デバイスとの間でデータ通信を行う第１通信部と、
前記第１伝送路とは異なる第２伝送路を介して前記電子デバイスとの間でデータ通信を行う第２通信部とを備え、
前記第１伝送路は、前記電子デバイスに対して前記第１伝送路を介したデータ通信の開始可否を表す信号が出力される第１端子と、前記電子デバイスとの間で第１クロック信号を通信する第２端子と、前記第１クロック信号に同期させて前記電子デバイスからデータ信号が入力される第３端子と、前記第１クロック信号に同期させて前記電子デバイスに対してデータ信号が出力される第４端子と、から構成され、
前記第２伝送路は、前記電子デバイスとの間で第２クロック信号を通信する第７端子と、前記第２クロック信号に同期させて前記電子デバイスに対してデータ信号が出力される第８端子と、を有する交換可能デバイス。
【請求項９】
請求項８に記載の交換可能デバイスにおいて、
前記第２通信部は、前記第２伝送路を介したデータ通信を所定間隔毎に繰り返し行う交換可能デバイス。
【請求項１０】
請求項９に記載の交換可能デバイスにおいて、
前記第１通信部は、前記第２通信部による前記第２伝送路を介したデータ通信と並行して、前記第１伝送路を介したデータ通信を行うことが可能である交換可能デバイス。
【請求項１１】
請求項１０に記載の交換可能デバイスにおいて、
前記第１伝送路は、前記電子デバイスに対するデータ信号の出力と並行して前記電子デバイスからのデータ信号の入力が可能な全二重の伝送路である交換可能デバイス。
【請求項１２】
カメラアクセサリが着脱可能に取り付けられるカメラボディであって、
第１伝送路を介して前記カメラアクセサリとの間でデータ通信を行う第１通信部と、
前記第１伝送路とは異なる第２伝送路を介して前記カメラアクセサリとの間でデータ通信を行う第２通信部とを備え、
前記第１伝送路は、前記カメラアクセサリから前記第１伝送路を介したデータ通信の開始可否を表す信号が入力される第１端子と、前記カメラアクセサリとの間で第１クロック信号を通信する第２端子と、前記第１クロック信号に同期させて前記カメラアクセサリにデータ信号を出力する第３端子と、前記第１クロック信号に同期させて前記カメラアクセサリからデータ信号が入力される第４端子と、から構成され、
前記第２伝送路は、前記カメラアクセサリとの間で第２クロック信号を通信する第７端子と、前記第２クロック信号に同期させて前記カメラアクセサリからデータ信号が入力される第８端子と、を有するカメラボディ。
【手続補正２】
【補正対象書類名】明細書
【補正対象項目名】発明の名称
【補正方法】変更
【補正の内容】
【発明の名称】カメラアクセサリ、交換可能デバイスおよびカメラボディ
【手続補正３】
【補正対象書類名】明細書
【補正対象項目名】０００１
【補正方法】変更
【補正の内容】
【０００１】
本発明は、カメラアクセサリ、交換可能デバイスおよびカメラボディに関する。
【手続補正４】
【補正対象書類名】明細書
【補正対象項目名】０００４
【補正方法】変更
【補正の内容】
【０００４】
本発明の第１の態様によるカメラアクセサリは、カメラボディに着脱可能に取り付けられるカメラアクセサリであって、第１伝送路を介して前記カメラボディとの間でデータ通信を行う第１通信部と、前記第１伝送路とは異なる第２伝送路を介して前記カメラボディとの間でデータ通信を行う第２通信部とを備え、前記第１伝送路は、前記カメラボディに対して前記第１伝送路を介したデータ通信の開始可否を表す信号が出力される第１端子と、前記カメラボディとの間で第１クロック信号を通信する第２端子と、前記第１クロック信号に同期させて前記カメラボディからデータ信号が入力される第３端子と、前記第１クロック信号に同期させて前記カメラボディに対してデータ信号が出力される第４端子と、を有し、前記第２伝送路は、前記カメラボディとの間で第２クロック信号を通信する第７端子と、前記第２クロック信号に同期させて前記カメラボディに対してデータ信号が出力される第８端子と、を有する。
本発明の第２の態様による交換可能デバイスは、電子デバイスに着脱可能に取り付けられる交換可能デバイスであって、第１伝送路を介して前記電子デバイスとの間でデータ通信を行う第１通信部と、前記第１伝送路とは異なる第２伝送路を介して前記電子デバイスとの間でデータ通信を行う第２通信部とを備え、前記第１伝送路は、前記電子デバイスに対して前記第１伝送路を介したデータ通信の開始可否を表す信号が出力される第１端子と、前記電子デバイスとの間で第１クロック信号を通信する第２端子と、前記第１クロック信号に同期させて前記電子デバイスからデータ信号が入力される第３端子と、前記第１クロック信号に同期させて前記電子デバイスに対してデータ信号が出力される第４端子と、から構成され、前記第２伝送路は、前記電子デバイスとの間で第２クロック信号を通信する第７端子と、前記第２クロック信号に同期させて前記電子デバイスに対してデータ信号が出力される第８端子と、を有する。
本発明の第３の態様によるカメラボディは、カメラアクセサリが着脱可能に取り付けられるカメラボディであって、第１伝送路を介して前記カメラアクセサリとの間でデータ通信を行う第１通信部と、前記第１伝送路とは異なる第２伝送路を介して前記カメラアクセサリとの間でデータ通信を行う第２通信部とを備え、前記第１伝送路は、前記カメラアクセサリから前記第１伝送路を介したデータ通信の開始可否を表す信号が入力される第１端子と、前記カメラアクセサリとの間で第１クロック信号を通信する第２端子と、前記第１クロック信号に同期させて前記カメラアクセサリにデータ信号を出力する第３端子と、前記第１クロック信号に同期させて前記カメラアクセサリからデータ信号が入力される第４端子と、から構成され、前記第２伝送路は、前記カメラアクセサリとの間で第２クロック信号を通信する第７端子と、前記第２クロック信号に同期させて前記カメラアクセサリからデータ信号が入力される第８端子と、を有する。